(57)【要約】本発明は、モーターによって回転するかみそり刃カートリッジ及びかみそり刃カートリッジの回転方向に沿ってかみそり刃カートリッジに等角間隔に配置される少なくとも一対のかみそり刃結合体を含み、かみそり刃結合体は、少なくとも一対のかみそり刃（以下、「第１かみそり刃」と言う）が所定間隔に互いに重畳された形態で配置されながら、前記かみそり刃カートリッジの半径方向に沿って配置される電動式回転シェーバーを開示する。前記のように構成される電動式回転シェーバーは、かみそり刃を多重に配置した湿式シェーバーの構造を具備しながら、モーターを利用してかみそり刃カートリッジを回転させてシェービングができるので、使用が便利で、且つきれいな切削力を提供することができる。また、多重刃構造のかみそり刃結合体は使用者の肌に対する刺激を緩和して、傷の発生を最小化することができ、シェービングクリームなどを用いる必要がないので、時間と場所に拘らず便利に用いることができるという長所がある。【選択図】図４
2013538613.tif 000002
【特許請求の範囲】
【請求項１】
電動で作動するシェーバーにおいて、
モーターによって回転するかみそり刃カートリッジ及び
前記かみそり刃カートリッジの回転方向に沿って前記かみそり刃カートリッジに等角間隔に配置される少なくとも２つのかみそり刃結合体を含み、
前記かみそり刃カートリッジは、
前記モーターに結合されて前記モーターの駆動によって回転する下部ハウジングと、
前記下部ハウジングの前面に形成されて、前記かみそり刃が収容される安着部と、
前記下部ハウジングの周りを囲むように結合される上部ハウジングと、
前記下部ハウジングの中央部に結合されるハウジングカバーとを備え、
前記安着部は前記下部ハウジングの半径方向に延長されて、前記下部ハウジングの円周方向に沿って少なくとも一対が配置され、
前記かみそり刃結合体は、所定間隔に互いに重畳された形態で配置されて、前記かみそり刃カートリッジの半径方向に沿って配置された少なくとも一対で構成される第１かみそり刃及び第２かみそり刃を含み、
前記第１かみそり刃と前記第２かみそり刃は互いに対向するように配置されることを特徴とする電動式回転シェーバー。
【請求項２】
前記かみそり刃カートリッジは正回転及び逆回転が可能であり、前記第１かみそり刃及び第２かみそり刃の中の何れか１つはその刃が前記かみそり刃カートリッジの回転方向に向かうように配置されることを特徴とする請求項１に記載の電動式回転シェーバー。
【請求項３】
前記第１かみそり刃また第２かみそり刃は０．３ｍｍ〜１．０ｍｍの間隔で配置されることを特徴とする請求項１に記載の電動式回転シェーバー。
【請求項４】
前記第１かみそり刃及び第２かみそり刃は前記かみそり刃カートリッジの前面と同一平面上に位置されるか、前記かみそり刃カートリッジの前面と同一平面において０．１ｍｍ以内の範囲でさらに低くまたはさらに高く設置されることを特徴とする請求項１に記載の電動式回転シェーバー。
【請求項５】
前記上部ハウジングは前記下部ハウジングの外周面に近接した位置で前記安着部の一端を囲み、前記ハウジングカバーは前記下部ハウジングの中央部で前記安着部の他端を囲むように配置されることによって、前記安着部に収容されたかみそり刃を前記安着部に固定させることを特徴とする請求項１に記載の電動式回転シェーバー。
【請求項６】
前記安着部の他端の内壁に形成される結合溝及び
前記ハウジングカバーの内側面から下向きに延長されるフックをさらに備え、
前記フックが前記結合溝に結合されて、前記ハウジングカバーを前記下部ハウジングに固定させることを特徴とする請求項１に記載の電動式回転シェーバー。
【請求項７】
前記ハウジングカバーは潤滑性を有する材質で製作されることを特徴とする請求項１に記載の電動式回転シェーバー。
【請求項８】
前記モーターは、前記かみそり刃カートリッジを正方向、逆方向の中の何れか１つの方向に回転させるか、正方向と逆方向に交互に回転させることを特徴とする請求項１または請求項２の中の何れか１項に記載の電動式回転シェーバー。
【請求項９】
前記モーターを制御する制御回路及びスイッチモジュールが搭載された回路基板をさらに備え、
前記モーターは前記制御回路の制御によって駆動することによって、前記かみそり刃カートリッジの回転方向を調節することを特徴とする請求項８に記載の電動式回転シェーバー。
【請求項１０】
前記かみそり刃カートリッジの周りを囲むように設置されて、前記かみそり刃カートリッジの回転軸の長手方向に移動するカートリッジカバーをさらに備え、
前記カートリッジカバーが前記かみそり刃カートリッジの回転軸の長手方向に移動することによって、前記カートリッジカバーの端部は前記かみそり刃カートリッジの前面に近接したり離間するように移動することを特徴とする請求項１に記載の電動式回転シェーバー。
【請求項１１】
前記かみそり刃カートリッジに前記かみそり刃カートリッジの回転軸の長手方向に作用する弾性力を提供するスプリングをさらに備え、
前記スプリングが加える弾性力は、所定力で前記かみそり刃カートリッジが肌に密着された状態を保持することを特徴とする請求項１に記載の電動式回転シェーバー。
【請求項１２】
電動で作動するシェーバーにおいて、
本体と、
前記本体に収容されたモーターによって回転するかみそり刃カートリッジと、
前記かみそり刃カートリッジの周りを囲む状態で前記本体にネジ結合されて、前記かみそり刃カートリッジの回転軸の長手方向に移動するカートリッジカバーと、
前記かみそり刃カートリッジの回転方向に沿って前記かみそり刃カートリッジに等角間隔に配置される少なくとも２つのかみそり刃結合体とを含み、
前記かみそり刃結合体は、少なくとも一対のかみそり刃（以下、「第１かみそり刃」と言う）が所定間隔に互いに重畳された形態で配置されながら、前記かみそり刃カートリッジの半径方向に沿って配置され、
前記カートリッジカバーが前記かみそり刃カートリッジの回転軸の長手方向に移動することによって、前記カートリッジカバーの端部は前記かみそり刃カートリッジの前面に近接したり離間するように移動することを特徴とする電動式回転シェーバー。
【請求項１３】
前記かみそり刃結合体は、所定間隔に互いに重畳された形態で配置されながら、前記かみそり刃カートリッジの半径方向に沿って配置された、また他の少なくとも一対のかみそり刃（以下、「第２かみそり刃」と言う）をさらに備え、
前記第１かみそり刃と前記第２かみそり刃の刃は互いに対向するように配置されることを特徴とする請求項１２に記載の電動式回転シェーバー。
【請求項１４】
前記かみそり刃カートリッジは正回転及び逆回転が可能であり、前記第１かみそり刃及び第２かみそり刃の中の何れか１つはその刃が前記かみそり刃カートリッジの回転方向に向かうように配置されることを特徴とする請求項１３に記載の電動式回転シェーバー。
【請求項１５】
前記かみそり刃カートリッジは他のかみそり刃カートリッジで取り替えることができることを特徴とする請求項１または請求項１２に記載の電動式回転シェーバー。
【発明の詳細な説明】
【技術分野】
【０００１】
本発明はシェーバーに関し、特に、乾式シェーバーの外形を有しながらも多重刃を有することによって、乾式シェービングだけでなく、湿式シェービングでも簡便に用いることができ、且つシェービング性能が向上された電動式回転シェーバーに関する。
【背景技術】
【０００２】
通常、シェーバーは湿式と乾式とで分類することができる。
【０００３】
湿式シェーバーはかみそり刃の切削部分が使用者の肌に密着されるので、優れた毛髪切削性能を提供する。しかし、使用者の肌の状態によって、またはシェービング中で使用者が加えられる力が適度を越える場合、使用者の肌が傷付くことがある。
【０００４】
乾式シェーバーはモーターなどによって作動し、湿式シェーバーに比べて安全に用いることができる。これは、かみそり刃の切削部分が使用者の肌に直接接触されないように安全網などを設置することで可能である。従って、乾式シェーバーは湿式シェーバーに比べて安全且つ便利に用いることができる。一方、安全網などが設置されているので、かみそり刃と使用者の肌が密着されず、湿式シェーバーに比べて、毛髪切削性能が若干劣るという短所がある。
【発明の概要】
【発明が解決しようとする課題】
【０００５】
そこで、本発明は湿式シェーバーの優れた毛髪切削性能を具現しながらも、時間と場所に拘らず、便利に用いることができる電動式回転シェーバーを提供することを目的とする。
【０００６】
また、本発明はモーターによって作動しながらも、湿式シェーバーの多重刃構造を有することによって、使用者の肌に加えられる刺激を抑制しながら、優れた毛髪切削性能を具現することができる電動式回転シェーバーを提供することを目的とする。
【課題を解決するための手段】
【０００７】
従って、本発明は、モーターによって回転するかみそり刃カートリッジ、及び上記かみそり刃カートリッジの回転方向に沿って上記かみそり刃カートリッジに等角間隔に配置される少なくとも一対のかみそり刃結合体を含み、上記かみそり刃結合体は、少なくとも一対のかみそり刃（以下、「第１かみそり刃」と言う）が所定間隔に互いに重畳された形態で配置されながら、上記かみそり刃カートリッジの半径方向に沿って配置される電動式回転シェーバーを開示する。
【０００８】
上記かみそり刃結合体は、所定間隔に互いに重畳された形態で配置されながら、上記かみそり刃カートリッジの半径方向に沿って配置された、また他の少なくとも一対のかみそり刃（以下、「第２かみそり刃」と言う）をさらに具備することができ、この時、上記第１かみそり刃と上記第２かみそり刃は互いに対向されるように配置されることが好ましい。
【０００９】
また、上記かみそり刃カートリッジは正回転及び逆回転が可能であり、上記第１かみそり刃及び第２かみそり刃の中の何れか一つはその刃が上記かみそり刃カートリッジの回転方向に向かうように配置されることが好ましい。
【００１０】
一方、上記かみそり刃カートリッジは、上記モーターに結合されて上記モーターの駆動によって回転する下部ハウジング、上記下部ハウジングの前面に形成されて、上記かみそり刃が収容される安着部、上記下部ハウジングの周りを囲むように結合される上部ハウジング、及び上記下部ハウジングの中央部に結合されるハウジングカバーを具備し、上記安着部は上記下部ハウジングの半径方向に延長して、上記下部ハウジングの円周方向に沿って少なくとも一対を配置されることができる。
【００１１】
この時、上記上部ハウジングは上記下部ハウジングの外周面に近接した位置で上記安着部の一端を巡り、上記ハウジングカバーは上記下部ハウジングの中央部で上記安着部の他端を囲むように配置されることによって、上記安着部に収容されたかみそり刃を上記安着部に固定させる。
【００１２】
また、上記電動式回転シェーバーは、上記安着部の他端の内壁に形成される結合溝、及び上記ハウジングカバーの内側面から下向きに延長されるフックをさらに具備することができ、この時、上記フックが上記結合溝に結合されて、上記ハウジングカバーを上記下部ハウジングに固定させる。
【００１３】
この時、上記ハウジングカバーは潤滑性を有する材質で製作されることが好ましい。
【００１４】
同時に、上記モーターは上記かみそり刃カートリッジを正方向及び逆方向の中の何れか一つの方向に回転させ、あるいは正方向と逆方向に交互に回転させることができる。
【００１５】
この時、上記電動式回転シェーバーは、上記モーターを制御する制御回路及びスイッチモジュールが搭載された回路基板をさらに具備することによって、上記制御回路を利用して上記モーターを駆動して、上記かみそり刃カートリッジの回転方向を調節する。
【００１６】
上記電動式回転シェーバーは、上記かみそり刃カートリッジの周りを囲むように設置されて、上記かみそり刃カートリッジの回転軸の長手方向に移動するカートリッジカバーをさらに具備することができ、上記カートリッジカバーが上記かみそり刃カートリッジの回転軸の長手方向に移動することによって、上記カートリッジカバーの端部が上記かみそり刃カートリッジの前面に近接したり離間するように移動する。
【００１７】
また、上記電動式回転シェーバーは、上記かみそり刃カートリッジに上記かみそり刃カートリッジの回転軸の長手方向に作用する弾性力を提供するスプリングをさらに具備することができ、上記スプリングが加える弾性力は、所定の力で上記かみそり刃カートリッジが肌に密着された状態を維持させる。
【発明の効果】
【００１８】
上記のように構成された電動式回転シェーバーは、かみそり刃を多重に配置した湿式シェーバーの構造を有しながら、モーターを利用してかみそり刃カートリッジを回転させてシェービングすることができるので、使用が便利で、且つきれいな切削力を提供することができる。また、多重刃構造のかみそり刃結合体は使用者の肌に対する刺激を緩和して、傷の発生を最小化することができるという長所がある。さらに、シェービングクリームなどを用いる必要がなくて、時間と場所に拘らず、便利に用いることができるという長所がある。
【図面の簡単な説明】
【００１９】
【図１】本発明の好ましい実施例による電動式回転シェーバーを示す斜視図である。
【図２】図１に示した電動式回転シェーバーを他の方向から示す斜視図である。
【図３】図１に示した電動式回転シェーバーを他の方向から示す斜視図である。
【図４】図１に示した電動式回転シェーバーを示す分離斜視図である。
【図５】図１に示した電動式回転シェーバーを示す分離斜視図である。
【図６】図４に示した電動式回転シェーバーのかみそり刃カートリッジを示す分離斜視図である。
【図７】図４に示した電動式回転シェーバーのかみそり刃カートリッジを示す分離斜視図である。
【図８】図８に示したかみそり刃カートリッジがモーターに結合された状態を示す斜視図である。
【図９】図８に示したかみそり刃カートリッジが一方向に回転する状態を示す斜視図である。
【図１０】図８に示したかみそり刃カートリッジが正／逆回転を交互に往復回転する状態を示す斜視図である。
【図１１】図２に示した電動式回転シェーバーのカートリッジカバーが移動した状態を示す斜視図である。
【発明を実施するための形態】
【００２０】
以下、本発明の好ましい実施例を添付された図面を通じて詳しく説明すれば次の通りである。本発明を説明する際に、係わる公知機能あるいは構成に対する具体的な説明が本発明の要旨を不必要に曖昧にする虞があると判断される場合、その詳細な説明を省略する。
【００２１】
図１〜図５に示したように、本発明の好ましい実施例による電動式回転シェーバー１００は、モーター１０３によって回転するかみそり刃カートリッジ１０２に少なくとも一対のかみそり刃結合体１２５（図６に示す）が等角間隔に配置されており、かみそり刃結合体１２５は、少なくとも一対のかみそり刃１２５ａ（以下、「第１かみそり刃」と言う）が所定間隔に互いに重畳された形態で配置されながら、かみそり刃カートリッジ１０２の半径方向に沿って配置されている。第１かみそり刃１２５ａが三つ以上のかみそり刃で構成される場合、第１かみそり刃１２５ａを構成するかみそり刃は等間隔に配置されることが好ましい。この時、第１かみそり刃１２５ａの刃、即ち、毛髪を切削する部分はかみそり刃カートリッジ１０２の回転方向に向かうように配置されることが好ましい。
【００２２】
電動式回転シェーバー１００は本体１０１の一端から延長されたバッテリー収納溝１１１を具備することによって、バッテリー１６３を挿入することができるように構成され、キャップ１６１が本体１０１の一端に結合されてバッテリー収納溝１１１を閉鎖する。また、バッテリー収納溝１１１の一側には基板収納部１１５が形成され、制御回路、スイッチモジュールなどが搭載された回路基板１０５を収容する。
【００２３】
本体１０１の外周面上にはモーター収納溝１１９が形成されてかみそり刃カートリッジ１０２を回転させるモーター１０３が収容され、スイッチ部材によってモーター収納溝１１９が閉鎖される。スイッチ部材１５１は本体１０１の内部で回路基板１０５上のスイッチモジュールに装着されて、電動式回転シェーバー１００の作動モードを転換する時、使用者がスイッチ部材１５１を操作する。
【００２４】
上記モーター１０３の駆動軸は本体１０１の他端に突出し、上記駆動軸の端部にかみそり刃カートリッジ１０２が結合されて、モーター１０３によって回転する。かみそり刃カートリッジ１０２はカートリッジカバー１０４によって本体１０１に回転可能に設けられ、カートリッジカバー１０４の端部には保護キャップ１６５が結合されて、かみそり刃カートリッジ１０２を保護する。モーター１０３の駆動軸の外周面にはスプリング１３９が結合されて、かみそり刃カートリッジ１０２に弾性力を提供する。シェービングの際に、使用者が加える力によってかみそり刃カートリッジ１０２はその回転軸の長手方向に進退運動をすることができるように構成され、スプリング１３９が加える弾性力はかみそり刃カートリッジ１０２が所定の力で肌に密着した状態を維持させる。
【００２５】
図６及び図７をさらに参照すれば、かみそり刃カートリッジ１０２は下部ハウジング１２３、上部ハウジング１２１ａ及びハウジングカバー１２１ｂを具備し、かみそり刃結合体１２５は下部ハウジング１２３に設置される。
【００２６】
下部ハウジング１２３の後面にはモーター１０３の駆動軸に結合される駆動孔１２９が形成されている。駆動孔１２９はかみそり刃カートリッジ１０２、さらに具体的には、下部ハウジング１２３がその回転軸の長手方向に進退運動しても上記駆動軸との結合状態を保持することができるほど充分に深く形成されることが好ましい。
【００２７】
かみそり刃結合体１２５が設置される安着部１２７が下部ハウジング１２３の前面に形成されている。かみそり刃結合体１２５は、上述したように、少なくとも一対のかみそり刃（第１かみそり刃１２５ａ）が所定間隔に互いに重畳された形態で配置されながら、かみそり刃カートリッジ１０２の半径方向に沿って配置される。言い替えれば、第１かみそり刃１２５ａの刃はかみそり刃カートリッジ１０２の半径方向に沿って延長された形態で配置されながら、かみそり刃カートリッジ１０２の回転方向に向けるようになる。一方、第１かみそり刃１２５ａは安着部１２７に容易に設置されるように折曲状に形成され、安着部１２７の内壁には第１かみそり刃１２５ａの両側端を支持するスリットが形成されることが好ましい。
【００２８】
一方、かみそり刃結合体１２５は第１かみそり刃１２５ａと対向する第２かみそり刃１２５ｂを具備することができる。第２かみそり刃１２５ｂは少なくとも一対のかみそり刃が所定間隔に互いに重畳された形態で配置されながら、かみそり刃カートリッジ１０２の半径方向に沿って配置される。この時、第１かみそり刃１２５ａ及び第２かみそり刃１２５ｂは実質的に同一形状で、互いに対称するように配置されて、かみそり刃結合体１２５を形成する。従って、第１かみそり刃１２５ａが３つ以上のかみそり刃で構成される場合、第２かみそり刃１２５ｂもそれに相応する数のかみそり刃で構成すべきであり、第２かみそり刃１２５ｂを構成するかみそり刃は等間隔に配置されることが好ましい。第２かみそり刃１２５ｂも第１かみそり刃１２５ａと一緒に安着部１２７に設置される。
【００２９】
本実施例で、第１かみそり刃１２５ａ及び第２かみそり刃１２５ｂはそれぞれ一対のかみそり刃で構成された例を示しているが、第１かみそり刃１２５ａ及び第２かみそり刃１２５ｂを構成するかみそり刃の数は３つまたは３つ以上の数で構成されることもできる。第１かみそり刃１２５ａまたは第２かみそり刃１２５ｂを構成する所定間隔に互いに重畳された形態で配置されたかみそり刃を配置する際に、その間隔は０．３ｍｍ以上、約１．０ｍｍが好ましい。同時に、第１かみそり刃１２５ａ及び第２かみそり刃１２５ｂの刃はかみそり刃カートリッジ１０２の前面と同一の平面上に位置されるか、またはかみそり刃カートリッジ１０２の前面と同一平面において０．１ｍｍ以内の範囲でさらに低くまたはさらに高く設置されることが好ましい。
【００３０】
第１かみそり刃１２５ａ及び第２かみそり刃１２５ｂが互いに対向するように配置されることによって、かみそり刃カートリッジ１０２は何れの方向に回転してもシェービングすることができる。具体的に、かみそり刃カートリッジ１０２が第１の方向（以下では、「正方向」）に回転する時、第１かみそり刃１２５ａが毛髪を切削すれば、上記第１方向の逆方向（以下では、「逆方向」）に回転する時は第２かみそり刃１２５ｂが毛髪を切削するようになる。
【００３１】
上部ハウジング１２１ａは下部ハウジング１２３の周りを囲むように結合される。上部ハウジング１２１ａと下部ハウジング１２３を結合するために、上部ハウジング１２１ａの後端の内側面には結合突起１２１ｃが突出されており、下部ハウジング１２３の後端にも結合溝１２３ａが形成されている。上部ハウジング１２１ａが下部ハウジング１２３に結合された場合、結合突起１２１ｃが結合溝１２３ａと噛み合って、上部ハウジング１２１ａと下部ハウジング１２３を互いに拘束する。
【００３２】
一方、上部ハウジング１２１ａが下部ハウジング１２３に結合されると、下部ハウジング１２３の前面で下部ハウジング１２３の外周面に近接した安着部１２７の端部を上部ハウジング１２１ａが囲むようになる。即ち、上部ハウジング１２１ａは下部ハウジング１２３に結合されると同時に、かみそり刃結合体１２５を安着部１２７に固定する。
【００３３】
ハウジングカバー１２１ｂは下部ハウジング１２３の前面、中央部に結合される。ハウジングカバー１２１ｂを下部ハウジング１２３に固定するために、下部ハウジング１２３にはまた他の結合溝１２３ｂ（以下、「第２結合溝」と言う）が形成され、ハウジングカバー１２１ｂの内側面から下向きに延長されるフック１２１ｄが形成される。本実施例で、第２結合溝１２３ｂは安着部１２７の内壁にそれぞれ形成されている。ハウジングカバー１２１ｂが下部ハウジング１２３に結合されると、フック１２１ｄがそれぞれ第２結合溝１２３ｂに噛み合って、ハウジングカバー１２１ｂを下部ハウジング１２３に拘束する。
【００３４】
同時に、ハウジングカバー１２１ｂは、下部ハウジング１２３に結合された状態で、下部ハウジング１２３の中央部に位置された安着部１２７の他端を囲むようになる。即ち、ハウジングカバー１２１ｂは下部ハウジング１２３に結合されると同時に、かみそり刃結合体１２５を安着部１２７に固定する。
【００３５】
結果的に、かみそり刃結合体１２５は上部ハウジング１２１ａとハウジングカバー１２１ｂによって下部ハウジング１２３に結合された状態を保持することができる。
【００３６】
上記のように構成されたかみそり刃カートリッジ１０２は、それ自体を取り替え可能に構成することができる。即ち、カートリッジカバー１０４を本体１０１から分離した後、かみそり刃カートリッジ１０２を取り替えることができる。
【００３７】
カートリッジカバー１０４が上記かみそり刃カートリッジの周りを囲む状態で本体１０１にネジ結合方式で結合される。従って、シェービングする前に使用者はカートリッジカバー１０４を回転させて、かみそり刃カートリッジ１０２の前面から遠くなったり近接するように調節することができる。即ち、使用者はかみそり刃カートリッジ１０２に対するカートリッジカバー１０４の突出を調節することができ、これを通じてシェービングされる部位の肌の膨脹度を調節することができる。また、シェービングする間に使用者の肌は、カートリッジカバー１０４によって押された部分よりかみそり刃カートリッジ１０２の中央部でかみそり刃カートリッジ１０２とさらに大きい力で密着される。従って、かみそり刃カートリッジ１０２が回転する時、かみそり刃カートリッジ１０２の中央部と使用者の肌との間にさらに大きい摩擦力が発生する。従って、かみそり刃カートリッジ１０２が回転する時、かみそり刃カートリッジ１０２の中央部と使用者の肌との間の摩擦を緩和して円滑にシェービングするために、ハウジングカバー１２１ｂはテフロン（teflon：登録商標）のような潤滑性を有する材質で製作されることが好ましい。ハウジングカバー１２１ｂは潤滑バンドとして活用することができれば、他の材質で製作されてもよく、必ずしもテフロンで製作される必要はない。
【００３８】
かみそり刃結合体１２５は５組が等角間隔でかみそり刃カートリッジ１０２に配置された構成が例示されているが、上述したように、かみそり刃結合体１２５は一対を配置しても構わず、３組または４組を配置してもよく、５組以上を配置しても良い。ただ、かみそり刃カートリッジ１０２が回転する構造であるので、一対以上のかみそり刃結合体１２５を配置する時、等角間隔で配置されて、回転する間、重量中心とかみそり刃カートリッジ１０２の回転軸を一致させることが好ましい。これは当業者であれば容易に理解すべきである。
【００３９】
また、本実施例で、１つのかみそり刃結合体１２５がかみそり刃カートリッジ１０２の半径方向の全長を占める構成を示しているが、かみそり刃カートリッジ１０２の半径方向に沿って複数のかみそり刃結合体１２５を配置することもできる。ただ、かみそり刃結合体１２５を構成するかみそり刃の刃はかみそり刃カートリッジ１０２の回転方向に向けるように配置されなければならない。ここで、かみそり刃カートリッジ１０２の回転方向は、上述したように、正方向、逆方向何れも可能で、かみそり刃カートリッジ１０２の回転方向を選択することができる場合には、本具体的な実施例に開示されたように、上記かみそり刃結合体は第１かみそり刃１２５ａ及び第２かみそり刃１２５ｂを互いに対向するように配置することが好ましい。
【００４０】
図８は、かみそり刃カートリッジ１０２がモーター１０３に結合された状態を示しており、図９は、かみそり刃カートリッジ１０２が一方向のみに回転する状態を、図１０は、かみそり刃カートリッジ１０２が正／逆回転を交互に往復回転する状態を示している。
【００４１】
上述したように、かみそり刃カートリッジ１０２は、第１かみそり刃１２５ａ及び第２かみそり刃１２５ｂを互いに対向するように配置することによって、何れの方向に回転してもシェービングが可能であり、また、正／逆回転方向を交互に往復回転してもシェービングが可能である。これは、回路基板１０５に搭載される制御回路の構成によって多様に設定することができ、かみそり刃カートリッジ１０２の回転速度も制御が可能である。
【００４２】
図１１はカートリッジカバー１０４がかみそり刃カートリッジ１０２の回転軸の長手方向に沿って移動する状態を示している。上述したように、カートリッジカバー１０４は、かみそり刃カートリッジ１０２の周りを囲むように配置ｓれながら、かみそり刃カートリッジ１０２の回転軸の長手方向に移動することができる。これは、上述したように、カートリッジカバー１０４が本体１０１にネジ方式で結合されることによって可能である。カートリッジカバー１０４がかみそり刃カートリッジ１０２の回転軸の長手方向に移動すると、カートリッジカバー１０４の端部はかみそり刃カートリッジ１０２の前面に近接したり離間するようになる。
【００４３】
図１１のように、カートリッジカバー１０４がかみそり刃カートリッジ１０２の回転軸の長手方向に沿って進む状態では、カートリッジカバー１０４の端部がかみそり刃カートリッジ１０２の前面からある程度遠くなって、使用者の肌で一部のみを引き締めるように保持しながら、シェービングすることが可能である。これによって使用者はさらにきれいにシェービングすることができる。
【００４４】
以上、本発明の詳細な説明では具体的な実施例について説明したが、本発明の範囲から逸脱しない範囲内で各種変形が可能であることは当該分野において通常の知識を有する者にとって自明である。
【符号の説明】
【００４５】
１００：電動式回転シェーバー
１０１：本体
１０２：かみそり刃カートリッジ
１２１ａ：上部ハウジング
１２１ｂ：ハウジングカバー
１２３：下部ハウジング
１２５：かみそり刃結合体
１２５ａ：第１かみそり刃
１２５ｂ：第２かみそり刃
１０３：モーター
１０４：カートリッジカバー
【図１】
2013538613.tif 000003
【図２】
2013538613.tif 000004
【図３】
2013538613.tif 000005
【図４】
2013538613.tif 000006
【図５】
2013538613.tif 000007
【図６】
2013538613.tif 000008
【図７】
2013538613.tif 000009
【図８】
2013538613.tif 000010
【図９】
2013538613.tif 000011
【図１０】
2013538613.tif 000012
【図１１】
2013538613.tif 000013
【国際調査報告】
2013538613.tif 000014
2013538613.tif 000015
2013538613.tif 000016
2013538613.tif 000017
2013538613.tif 000018
2013538613.tif 000019